(57)【特許請求の範囲】
【請求項１】
無線通信機能に関する制御を行う通信系プロセッサと、その他の制御を行う第２のプロセッサを含む２以上のプロセッサを備えた無線通信端末であって、
メモリコントローラを介して、前記各プロセッサと接続され、プログラムの実行領域及び電源オフ乃至スリープ時のデータ退避領域として使用される共用メモリと、
前記通信系プロセッサで実行される待ち受け動作プログラムが格納される第１のメモリ領域と、
前記共用メモリに退避させたデータを読み出すためのメモリコントローラ情報を保存する第２のメモリ領域と、を有し、
待ち受け状態において、前記共用メモリをデータ保持可能なスリープ状態に保持し、かつ、通信系プロセッサのコア部分及び前記第１、第２のメモリ領域以外を電源オフ状態とし、前記第１のメモリ領域の格納プログラムを用いた待ち受け動作を行うとともに、前記第２のメモリ領域に保存された前記メモリコントローラ情報を用いて、前記待ち受け状態に入る前の状態を復元可能な省電力待機モードを備えたこと、
を特徴とする無線通信端末。
【請求項２】
前記無線通信端末は、少なくとも、
（１）すべてのプロセッサが電源オン状態の第１のステータスと、
（２）前記通信系プロセッサがスリープ状態で、前記第２のプロセッサを含む他のプロセッサが電源オン状態の第２のステータスと、
（３）前記通信系プロセッサが電源オン状態で、前記第２のプロセッサを含む他のプロセッサが電源オフ状態の第３のステータスと、
（４）前記通信系プロセッサがスリープ状態で、前記第２のプロセッサを含む他のプロセッサが電源オフ状態の第４のステータスと、を有し、
前記第４のステータスにおいて、前記共用メモリを前記スリープ状態に保持し、かつ、前記通信系プロセッサのコア部分及び前記第１、第２のメモリ領域以外の電源をオフにするとともに、前記第４のステータスから他のステータスへ遷移する際に、前記第２のメモリ領域から前記メモリコントローラ情報を読み出し、前記メモリコントローラにセットする処理を実行すること、
を特徴とする請求項１に記載の無線通信端末。
【請求項３】
前記第１のステータスから前記第３のステータスへの遷移時、及び、前記第２のステータスから前記第４のステータスへの遷移時に、前記第２のメモリ領域への前記メモリコントローラ情報の保存が行われること、
を特徴とする請求項２に記載の無線通信端末。
【請求項４】
前記第１のメモリ領域が前記通信系プロセッサに、前記第２のメモリ領域が前記第２のプロセッサに、それぞれ内蔵されていること、
を特徴とする請求項１乃至３いずれか一に記載の無線通信端末。
【発明の詳細な説明】
【技術分野】
【０００１】
本発明は、複数のプロセッサを搭載し、かつ、消費電力を抑えることが可能な省電力モードを備えた無線通信端末に関する。
【背景技術】
【０００２】
携帯電話に代表される携帯型無線通信端末の高機能化が進む中で、１つの装置に複数プロセッサを搭載することが一般的になってきている。アプリケーション系プロセッサと通信系プロセッサに分かれて開発が進められるケースが一般的であるが、これは、各プロセッサの独立性を高めることで開発効率が上がり、開発期間とコストが下がる等のメリットがもたらされることによる。
【０００３】
こうした複数のプロセッサを搭載した無線通信端末において、それぞれのプロセッサにプログラム書き込み用のＦＬＡＳＨ  ＲＯＭやプログラム実行用のＳＤＲＡＭを用意すると、これらプロセッサやメモリの分だけ、装置全体の小型化や消費電力の低減が難しくなってしまう。そこで、例えば、特開２００５−１４２９８１号公報では、必要がないときには通信系プロセッサ（通信制御用プロセッサ；ＣＣＰＵ）を低電力状態とするとともに、アプリケーション系プロセッサ（アプリケーション制御用プロセッサ；ＡＣＰＵ）から通信系プロセッサ（通信制御用プロセッサ；ＣＣＰＵ）を起動させる構成において、その起動タイミングの適切化による消費電力の低減が試みられている。
【０００４】
【特許文献１】特開２００５−１４２９８１号公報
【発明の開示】
【発明が解決しようとする課題】
【０００５】
以上のように、従来の複数プロセッサを搭載した無線通信端末には、装置全体の小型化や消費電力の低減が難しいという問題点がある。上記特許文献１にしても、装置全体の小型化を直接達成するものではない上、消費電力の低減効果も通信系プロセッサの起動ロス分に止まり、各プロセッサに配されたメモリ装置に供給される電流を低減するものではない。
【０００６】
また、上記特許文献１において、各プロセッサ毎に配されたメモリ装置を電源オフ状態とする動作モードを設けることも考えられるが、この場合、電源オフによりメモリ装置内の情報が失われてしまい、使い勝手が損なわれてしまうという問題点がある。
【０００７】
本発明は、上記した事情に鑑みてなされたものであって、その目的とするところは、装置全体の小型化と消費電流の低減と、使いやすさの両立を達成することのできる省電力機能を備えた無線通信端末を提供することにある。
【課題を解決するための手段】
【０００８】
本発明の第１の視点によれば、無線通信機能に関する制御を行う通信系プロセッサと、その他の制御を行う第２のプロセッサを含む２以上のプロセッサを備えた無線通信端末であって、メモリコントローラを介して、前記各プロセッサと接続され、プログラムの実行領域及び電源オフ乃至スリープ時のデータ退避領域として使用される共用メモリと、前記通信系プロセッサで実行される待ち受け動作プログラムが格納される第１のメモリ領域と、前記共用メモリに退避させたデータを読み出すためのメモリコントローラ情報を保存する第２のメモリ領域と、を有し、待ち受け状態において、前記共用メモリをデータ保持可能なスリープ状態に保持し、かつ、通信系プロセッサのコア部分及び前記第１、第２のメモリ領域以外を電源オフ状態とし、前記第１のメモリ領域の格納プログラムを用いた待ち受け動作を行うとともに、前記第２のメモリ領域に保存された前記メモリコントローラ情報を用いて、前記待ち受け状態に入る前の状態を復元可能な省電力待機モードを備えたこと、を特徴とする無線通信端末が提供される。
【発明の効果】
【０００９】
本発明によれば、待ち受け状態等に好適な、電池の消耗が少なく、使い勝手を損なうことのない省電力モードを実現することが可能となる。
【発明を実施するための最良の形態】
【００１０】
続いて、本発明を実施するための最良の形態について図面を参照して詳細に説明する。図１は、本発明の第１の実施形態に係る携帯型無線通信端末のシステム構成を表した図である。図１を参照すると、各種アプリケーションに関する制御を分担するアプリケーション系プロセッサ（ＡＣＰＵ）１０と、主として通信機能に関する制御を分担する通信系プロセッサ（ＣＣＰＵ）２０の２つのプロセッサが搭載された携帯型無線通信端末の構成が示されている。
【００１１】
アプリケーション系プロセッサ（ＡＣＰＵ）１０は、ＡＣＰＵコア１１と、外部に接続されたＳＤＲＡＭ１５にアクセスするためのメモリコントローラ（図１のＳＤＲＣ（ＳＤＲＡＭ Ｃｏｎｔｒｏｌｌｅｒ））１２と、常時電源供給されるメモリ領域（図１のＳＤＲＣ＿ＳＡＶＥ（ＳＤＲＡＭ  Ｃｏｎｔｒｏｌｌｅｒ  Ｓａｖｅ  Ａｒｅａの意；第２のメモリ））１３とを備えて構成されている。
【００１２】
また、アプリケーション系プロセッサ（ＡＣＰＵ）１０は、アプリケーションに関する制御を行うプロセッサであるため、アプリケーションを利用しない限り、電源オフにすることが可能である。従って、アプリケーション系プロセッサ（ＡＣＰＵ）１０には、電源オン状態、電源オフ状態の２状態がある。
【００１３】
メモリコントローラ（ＳＤＲＣ）１２は、待ち受け状態以外は電源オン状態に保持されて、ＡＣＰＵコア１１及びオープンコアプロトコル（ＯＣＰ；Ｏｐｅｎ  Ｃｏｒｅ  Ｐｒｏｔｏｃｏｌ）にて接続されたＣＣＰＵコア２１がＳＤＲＡＭ１５にアクセスする際のインタフェースを構成する。
【００１４】
また、メモリ領域（ＳＤＲＣ＿ＳＡＶＥ；第２のメモリ）１３は、常時電源オン状態に保持されて、ＳＤＲＡＭ１５にアクセスするためのメモリコントローラ（ＳＤＲＣ）１２の設定情報（ＳＤＲＣ情報）が保存のために使用される。メモリ領域（ＳＤＲＣ＿ＳＡＶＥ）１３に保存された情報は、携帯型無線通信端末が待ち受け状態から通話状態等の他の状態に遷移する際に、メモリコントローラ（ＳＤＲＣ）１２側にセットされ、ＳＤＲＡＭ１５に退避しておいた情報を再び読み出す際に使用される。
【００１５】
更に、アプリケーション系プロセッサ（ＡＣＰＵ）１０には、Ｆｌａｓｈ  ＲＯＭ１４と、ＳＤＲＡＭ１５とが接続されており、Ｆｌａｓｈ  ＲＯＭ１４に格納されたプログラムをＳＤＲＡＭ１５上に展開することが可能となっている。
【００１６】
Ｆｌａｓｈ  ＲＯＭ１４は、アプリケーション系プロセッサ（ＡＣＰＵ）１０及び通信系プロセッサ（ＣＣＰＵ）２０にて実行されるプログラムを格納する電気的に書き換え可能な不揮発性メモリである。これらプログラムは、電源装着やシステム起動時に読み出されてＳＤＲＡＭ１５上に展開される。
【００１７】
ＳＤＲＡＭ１５は、上記Ｆｌａｓｈ  ＲＯＭ１４に格納されたプログラムの動作領域として使用されるプロセッサ共用のメモリである。ＳＤＲＡＭ１５は、更に、アクセスは不可能であるがデータ保持動作を行うスリープモードを有し、アプリケーション系プロセッサ（ＡＣＰＵ）１０の電源オフ時や通信系プロセッサ（ＣＣＰＵ）２０のスリープ時に、失われては困る情報の退避領域としても使用される。例えば、アプリケーション系プロセッサ（ＡＣＰＵ）１０の電源オフ時や通信系プロセッサ（ＣＣＰＵ）２０のスリープ時に、これらで使用するプログラム（ＤＳＰ等のデバイス使用のプログラムを含む）やメモリ情報がＳＤＲＡＭ１５に退避される。
【００１８】
通信系プロセッサ（ＣＣＰＵ）２０は、ＣＣＰＵコア２１と、ＳＲＡＭ２２とを含んで構成され、更に、オープンコアプロトコル（ＯＣＰ；Ｏｐｅｎ  Ｃｏｒｅ  Ｐｒｏｔｏｃｏｌ）で接続されたアプリケーション系プロセッサ（ＡＣＰＵ）１０を介して、Ｆｌａｓｈ  ＲＯＭ１４に格納されたプログラムをＳＤＲＡＭ１５上に展開することが可能となっている。
【００１９】
また、通信系プロセッサ（ＣＣＰＵ）２０は、無線通信に関する制御を行うプロセッサであるため、電波状態や着呼、着信データの有無を監視する必要があるため、電源オフにすることはできず、電源オン状態とは別に省電力のスリープ状態が設けられる。このスリープ状態では、通信系プロセッサ（ＣＣＰＵ）２０は、所定の周期で無線通信系の各種デバイスをオンオフさせ、電波状態や着呼、着信データの有無を監視する制御を行う。
【００２０】
ＳＲＡＭ２２（第１のメモリ）は、通信系プロセッサ（ＣＣＰＵ）２０の待ち受け時動作（スリープ動作）を実現するためのプログラム（ＳＬＥＥＰプログラム）や例外ベクタ等の、待ち受け状態において必要とされる情報を格納するメモリである。
【００２１】
続いて、本実施形態に係る携帯型無線通信端末の動作について図面を参照して詳細に説明する。図２〜図５は、本実施形態に係る携帯型無線通信端末の各プロセッサの動作状態（ＳＴＡＴＵＳ）の組み合わせ（ＳＴＡＴＵＳ１〜ＳＴＡＴＵＳ４）を表した図であり、各図の網かけが施されていない領域が電源オンとなっている部分、網かけの施された領域が電源オフとなっている部分又は省電力状態になっている部分を表している。
【００２２】
図２は、本実施形態に係る携帯型無線通信端末の第１の動作状態（ＳＴＡＴＵＳ１；ＡＣＰＵ＝ＯＮ、ＣＣＰＵ＝ＯＮ）における電源状態を表した図である。例えば、テレビ電話機能利用状態がこれに該当する。
【００２３】
図３は、本実施形態に係る携帯型無線通信端末の第２の動作状態（ＳＴＡＴＵＳ２；ＡＣＰＵ＝ＯＮ、ＣＣＰＵ＝ＳＬＥＥＰ）における電源状態を表した図である。例えば、テレビ視聴機能やＪＡＶＡ（登録商標）等のアプリケーションを利用している状態がこれに該当する。図３に表されたとおり、通信系プロセッサ（ＣＣＰＵ）２０は、ＣＣＰＵコア２１と、ＳＲＡＭ２２等の待ち受け動作に必要な部分にのみ電流が供給された状態となっている。
【００２４】
図４は、本実施形態に係る携帯型無線通信端末の第３の動作状態（ＳＴＡＴＵＳ３；ＡＣＰＵ＝ＯＦＦ、ＣＣＰＵ＝ＯＮ）における電源状態を表した図である。例えば、通話状態がこれに該当する。図４に表されたとおり、アプリケーション系プロセッサ（ＡＣＰＵ）１０は、ＡＣＰＵコア１１と、メモリコントローラ（ＳＤＲＣ）１２と、メモリ領域（ＳＤＲＣ＿ＳＡＶＥ）１３等の通信系プロセッサ（ＣＣＰＵ）２０の通話動作に必要な部分にのみ電流が供給された状態となっている。また、Ｆｌａｓｈ  ＲＯＭ１４も使用することがないため、電源オフ状態とされている。
【００２５】
図５は、本実施形態に係る携帯型無線通信端末の第４の動作状態（ＳＴＡＴＵＳ１；ＡＣＰＵ＝ＯＦＦ、ＣＣＰＵ＝ＳＬＥＥＰ）における電源状態を表した図である。例えば、待ち受け状態がこれに該当する。図５に表されたとおり、通信系プロセッサ（ＣＣＰＵ）２０は、ＣＣＰＵコア２１と、ＳＲＡＭ２２等の待ち受け動作に必要な部分にのみ電流が供給された状態となっている。一方、アプリケーション系プロセッサ（ＡＣＰＵ）１０は、メモリ領域（ＳＤＲＣ＿ＳＡＶＥ）１３にのみ電流が供給された状態となっている。また、Ｆｌａｓｈ  ＲＯＭ１４は使用することがないため、電源オフ状態となるが、ＳＤＲＡＭ１５はデータ保持が可能なスリープ状態（省電力状態）に保持される。
【００２６】
図６は、図２〜図５に示した各動作状態（ＳＴＡＴＵＳ１〜ＳＴＡＴＵＳ４）間の状態遷移図である。以下、図６の状態遷移図の矢線に従って、本実施形態に係る携帯型無線通信端末の動作について説明する。
【００２７】
［状態遷移１］
アプリケーション系プロセッサ（ＡＣＰＵ）１０及び通信系プロセッサ（ＣＣＰＵ）２０が共に電源オン状態のＳＴＡＴＵＳ１（図２参照；例：テレビ電話機能利用状態）から通信系プロセッサ（ＣＣＰＵ）２０がスリープ状態に移行したＳＴＡＴＵＳ２（図３参照；例：テレビ視聴状態）に遷移する場合、通信系プロセッサ（ＣＣＰＵ）２０は、スリープ状態に入る前に、消失しては困る情報をＳＤＲＡＭ１５に保存する。
【００２８】
［状態遷移２］
一方、アプリケーション系プロセッサ（ＡＣＰＵ）１０が電源オン状態で通信系プロセッサ（ＣＣＰＵ）２０がスリープ状態のＳＴＡＴＵＳ２（図３参照；例：テレビ視聴状態）から、上記ＳＴＡＴＵＳ１（図２参照；例：テレビ電話機能利用状態）に戻る場合、通信系プロセッサ（ＣＣＰＵ）２０は、上記ＳＤＲＡＭ１５に保存しておいた情報を読み出し、復元（リストア）する。
【００２９】
［状態遷移３］
同様に、アプリケーション系プロセッサ（ＡＣＰＵ）１０が電源オフ状態で通信系プロセッサ（ＣＣＰＵ）２０が電源オン状態のＳＴＡＴＵＳ３（図４参照；通話状態）から通信系プロセッサ（ＣＣＰＵ）２０がスリープ状態に移行したＳＴＡＴＵＳ４（図５参照；待ち受け状態）に遷移する場合、通信系プロセッサ（ＣＣＰＵ）２０は、スリープ状態に入る前に、消失しては困る情報をＳＤＲＡＭ１５に保存する。
【００３０】
［状態遷移４］
一方、アプリケーション系プロセッサ（ＡＣＰＵ）１０が電源オフ状態で通信系プロセッサ（ＣＣＰＵ）２０がスリープ状態のＳＴＡＴＵＳ４（図５参照；待ち受け状態）から、上記ＳＴＡＴＵＳ３（図４参照；通話状態）に遷移する場合、図５に示されたとおり、アプリケーション系プロセッサ（ＡＣＰＵ）１０が電源オフ状態では、メモリコントローラ（ＳＤＲＣ）１２に設定されていた情報が失われているため、通信系プロセッサ（ＣＣＰＵ）２０は、上記ＳＤＲＡＭ１５に直ちにアクセスすることができない。そこで、通信系プロセッサ（ＣＣＰＵ）２０は、メモリ領域（ＳＤＲＣ＿ＳＡＶＥ）１３に保存されたメモリコントローラ（ＳＤＲＣ）１２に設定すべき情報を読み出した後、メモリコントローラ（ＳＤＲＣ）１２に設定を行って、上記ＳＤＲＡＭ１５に保持されている情報を読み出し、復元（リストア）する。なお、上記メモリ領域（ＳＤＲＣ＿ＳＡＶＥ）１３の内容は、後記するアプリケーション系プロセッサ（ＡＣＰＵ）１０が電源オフ状態に移る状態遷移５又は状態遷移７のタイミングで保存される。
【００３１】
［状態遷移５］
アプリケーション系プロセッサ（ＡＣＰＵ）１０及び通信系プロセッサ（ＣＣＰＵ）２０が共に電源オン状態のＳＴＡＴＵＳ１（図２参照；例：テレビ電話機能利用状態）からアプリケーション系プロセッサ（ＡＣＰＵ）１０が電源オフ状態に移行したＳＴＡＴＵＳ３（図４参照；例：通話状態）に遷移する場合、アプリケーション系プロセッサ（ＡＣＰＵ）１０は、電源オフ状態に入る前に、消失しては困る情報をＳＤＲＡＭ１５に保存するとともに、メモリコントローラ（ＳＤＲＣ）１２に設定すべきＳＤＲＣ情報をメモリ領域（ＳＤＲＣ＿ＳＡＶＥ）１３に保存する。
【００３２】
［状態遷移６］
一方、アプリケーション系プロセッサ（ＡＣＰＵ）１０が電源オフ状態で通信系プロセッサ（ＣＣＰＵ）２０が電源オン状態のＳＴＡＴＵＳ３（図４参照；例：通話状態）から、上記ＳＴＡＴＵＳ１（図２参照；例：テレビ電話機能利用状態）に遷移する場合、アプリケーション系プロセッサ（ＡＣＰＵ）１０は、上記ＳＤＲＡＭ１５に保存しておいた情報を読み出し、復元（リストア）する。
【００３３】
［状態遷移７］
同様に、アプリケーション系プロセッサ（ＡＣＰＵ）１０が電源オン状態で通信系プロセッサ（ＣＣＰＵ）２０がスリープ状態のＳＴＡＴＵＳ２（図３参照；例：テレビ視聴状態）からアプリケーション系プロセッサ（ＡＣＰＵ）１０が電源オフ状態に移行したＳＴＡＴＵＳ４（図５参照；例：待ち受け状態）に遷移する場合、アプリケーション系プロセッサ（ＡＣＰＵ）１０は、電源オフ状態に入る前に、消失しては困る情報をＳＤＲＡＭ１５に保存するとともに、メモリコントローラ（ＳＤＲＣ）１２に設定すべきＳＤＲＣ情報をメモリ領域（ＳＤＲＣ＿ＳＡＶＥ）１３に保存する。
【００３４】
［状態遷移８］
同様に、アプリケーション系プロセッサ（ＡＣＰＵ）１０が電源オフ状態で通信系プロセッサ（ＣＣＰＵ）２０がスリープ状態のＳＴＡＴＵＳ４（図５参照；例：待ち受け状態）から、上記ＳＴＡＴＵＳ２（図３参照；例：テレビ視聴状態）に遷移する場合、図５に示されたとおり、アプリケーション系プロセッサ（ＡＣＰＵ）１０が電源オフ状態では、メモリコントローラ（ＳＤＲＣ）１２に設定されていた情報が失われているため、アプリケーション系プロセッサ（ＡＣＰＵ）１０は、上記ＳＤＲＡＭ１５に保存しておいた情報を直ちに読み出すことができない。そこで、アプリケーション系プロセッサ（ＡＣＰＵ）１０は、メモリ領域（ＳＤＲＣ＿ＳＡＶＥ）１３に保存されたメモリコントローラ（ＳＤＲＣ）１２に設定すべき情報を読み出した後、メモリコントローラ（ＳＤＲＣ）１２に設定を行って、上記ＳＤＲＡＭ１５に保持されている情報を読み出し、復元（リストア）する。なお、上記メモリ領域（ＳＤＲＣ＿ＳＡＶＥ）１３の内容は、前記アプリケーション系プロセッサ（ＡＣＰＵ）１０が電源オフ状態に移る状態遷移５又は状態遷移７のタイミングで保存される。
【００３５】
以上のとおり、本実施形態によれば、Ｆｌａｓｈ  ＲＯＭ１４及びＳＤＲＡＭ１５を複数のプロセッサで共用し、かつ、待ち受け状態から他の状態に速やかに復帰可能とするとともに、必要のないデバイスへの電源供給をカットするという効率的のよい省電力機能が達成される。
【００３６】
また、本実施形態では、通信系プロセッサ（ＣＣＰＵ）２０のスリープ機能に必要なプログラムのみ、通信系プロセッサ（ＣＣＰＵ）２０内部のＳＲＡＭ２２上に保存することとしているため、より効果的な省電力機能が達成されている。
【００３７】
以上、本発明の実施の形態を説明したが、本発明の技術的範囲は、上述した実施の形態に限定されるものではなく、無線通信端末の仕様等に応じて、各種の変形を加えることが可能である。例えば、上記した実施形態では、アプリケーション系プロセッサ（ＡＣＰＵ）１０と通信系プロセッサ（ＣＣＰＵ）２０の２つのプロセッサを有する無線通信端末の例を挙げて説明したが、更に、追加のプロセッサを有する無線通信端末においても同様に適用可能であることはいうまでもない。
【図面の簡単な説明】
【００３８】
【図１】本発明の第１の実施形態に係る携帯型無線通信端末のシステム構成を表した図である。
【図２】本発明の第１の実施形態に係る携帯型無線通信端末の第１の動作状態（ＳＴＡＴＵＳ１；ＡＣＰＵ＝ＯＮ、ＣＣＰＵ＝ＯＮ）における電源状態を表した図である。
【図３】本発明の第１の実施形態に係る携帯型無線通信端末の第２の動作状態（ＳＴＡＴＵＳ２；ＡＣＰＵ＝ＯＮ、ＣＣＰＵ＝ＳＬＥＥＰ）における電源状態を表した図である。
【図４】本発明の第１の実施形態に係る携帯型無線通信端末の第３の動作状態（ＳＴＡＴＵＳ３；ＡＣＰＵ＝ＯＦＦ、ＣＣＰＵ＝ＯＮ）における電源状態を表した図である。
【図５】本発明の第１の実施形態に係る携帯型無線通信端末の第４の動作状態（ＳＴＡＴＵＳ４；ＡＣＰＵ＝ＯＦＦ、ＣＣＰＵ＝ＳＬＥＥＰ）における電源状態を表した図である。
【図６】図２〜図５に示した各動作状態（ＳＴＡＴＵＳ１〜ＳＴＡＴＵＳ４）間の状態遷移図である。
【符号の説明】
【００３９】
１０  アプリケーション系プロセッサ（ＡＣＰＵ）
１１  ＡＣＰＵコア
１２  メモリコントローラ（ＳＤＲＣ）
１３  常時電源供給されるメモリ領域（第２のメモリ；ＳＤＲＣ＿ＳＡＶＥ）
１４  Ｆｌａｓｈ  ＲＯＭ
１５  ＳＤＲＡＭ（共用メモリ）
２０  通信系プロセッサ（ＣＣＰＵ）
２１  ＣＣＰＵコア
２２  ＳＲＡＭ
【図１】
0004463216.tif 000002
【図２】
0004463216.tif 000003
【図３】
0004463216.tif 000004
【図４】
0004463216.tif 000005
【図５】
0004463216.tif 000006
【図６】
0004463216.tif 000007